(57)【要約】【課題】  Ｈ３２３−Ｈ３２０ゲートウエイは、ＬＡＮ側とＩＳＤＮ側との同時に動作させるために高速なＤＳＰを複数、実装するなどをして高価なものになってしまう。【解決手段】  ＩＳＤＮ通信Ｉ／Ｆと、ＬＡＮＩ／Ｆと、ホスト・デバイスの両機能を有するＵＳＢＩ／Ｆと、一系統の設定可能なコーデックとより構成され、Ｈ３２３−Ｈ３２０ゲートウエイ用のＨ３２０端末として、該テレビ会議端末装置を使用する場合は、所定のＨ３２０ソフトウエアをロードし、ＩＳＤＮＩ／Ｆをイネーブル、ＬＡＮＩ／Ｆをディスエーブル、ＵＳＢＩ／Ｆをデバイス動作、コーデックをＨ３２０モードに設定する事を為し、Ｈ３２３−Ｈ３２０ゲートウエイ用のＨ３２３端末として、ＬＡＮＩ／Ｆ付きのパソコンを使用し、所定のソフトウエアをロードし、該Ｈ３２０端末と該パソコンをＵＳＢにて接続し、Ｈ３２３−Ｈ３２０ゲートウエイ機能を実現する。【選択図】        図７
2005252669.tif 000002
【特許請求の範囲】
【請求項１】
ＩＳＤＮ通信Ｉ／Ｆと、ＬＡＮＩ／Ｆと、ホスト・デバイスの両機能を有するＵＳＢＩ／Ｆと、一系統の設定可能なコーデックとより構成されるテレビ会議端末装置において、
Ｈ３２３−Ｈ３２０ゲートウエイ用のＨ３２０端末として、該テレビ会議端末装置を使用する場合は、所定のＨ３２０ソフトウエアをロードし、ＩＳＤＮＩ／Ｆをイネーブル、ＬＡＮＩ／Ｆをディスエーブル、ＵＳＢＩ／Ｆをデバイス動作、コーデックをＨ３２０モードに設定する事を為し、Ｈ３２３−Ｈ３２０ゲートウエイ用のＨ３２３端末として、ＬＡＮＩ／Ｆ付きのパソコンを使用し、所定のソフトウエアをロードし、該Ｈ３２０端末と該パソコンをＵＳＢにて接続し、Ｈ３２３−Ｈ３２０ゲートウエイ機能を実現する事を特徴とするゲートウエイ装置。
【請求項２】
ＩＳＤＮ通信Ｉ／Ｆと、ＬＡＮＩ／Ｆと、ホスト・デバイスの両機能を有するＵＳＢＩ／Ｆと、一系統の設定可能なコーデックとより構成されるテレビ会議端末装置において、
Ｈ３２３−Ｈ３２０ゲートウエイ用のＨ３２０端末として、該テレビ会議端末装置を使用する場合は、所定のＨ３２０ソフトウエアをロードし、ＩＳＤＮＩ／Ｆをイネーブル、ＬＡＮＩ／Ｆをディスエーブル、ＵＳＢＩ／Ｆをデバイス動作、コーデックをＨ３２０モードに設定する事を為し、Ｈ３２３−Ｈ３２０ゲートウエイ用のＨ３２３端末として、該テレビ会議端末装置を使用する場合は、所定のソフトウエアをロードし、ＩＳＤＮＩ／Ｆをディスエーブル、ＬＡＮＩ／Ｆをイネーブル、ＵＳＢＩ／Ｆをホスト動作、コーデックをＨ３２３モードに設定する事を為し、該Ｈ３２０端末と該Ｈ３２３端末とをＵＳＢにて接続し、Ｈ３２３−Ｈ３２０ゲートウエイ機能を実現する事を特徴とするゲートウエイ装置。
【発明の詳細な説明】
【技術分野】
【０００１】
本発明は、一般公衆電話回線網とローカルエリアネットワーク（ＬＡＮ）に接続され、動画像、音声情報を双方に変換伝送を行うテレビ電話・会議システムのゲートウエイ装置に関する。
【背景技術】
【０００２】
現在、テレビ電話・会議システムとして、２ＢのＩＳＤＮ回線を利用する製品が多く市販されている。これらは、Ｎ−ＩＳＤＮのＡＶ（オーディオ・ビジュアル）システムの構成とその端末装置に関するＩＴＵ−Ｔ勧告のＨ．３２０規格の基づく製品である（特許文献１参照。）。
【０００３】
これらの公衆ＩＳＤＮ回線を使用するテレビ会議システムは、従量性、距離に依存する料金体系のため、例えば、一企業の同じビル内でも、使用時間に応じた通信コストが掛かってしまう。又、遠距離の相手とテレビ会議を行う場合は、距離に応じて、割高な市外通話料金が掛かってしまう。これに対し、通常の音声電話の場合は、同一の企業内では、内線が利用できるので、通信コストは、基本的に掛からず、又、遠距離の相手との電話も、テレビ会議の２Ｂ料金に比較すれば、半額以下で済むため、結果的に、テレビ電話・会議導入の動機付けが低下する。このように、現状のテレビ会議システムは、よほど、映像の価値が重要な場合でしか、使用の理由が無く、その機能とは、裏腹に、通信コストの問題で、なかなか普及が進まないという問題が有った。
【０００４】
又、ＩＳＤＮの場合、設置の問題も、指摘される事が多い。即ち、テレビ電話・会議を導入しようとすると、新規にＩＳＤＮ回線を引かなければならない。この問題も、普及が進まない一因として、指摘されている。
【０００５】
以上のようなＩＳＤＮベースのテレビ電話・会議システムの問題点を解決すべく、ＬＡＮベースのテレビ電話・会議システムシステムの製品化が、近年、行われている。これは、ＩＴＵ−Ｔ勧告のＨ３２３規格に基づくもので、企業内に敷設済みのＬＡＮ上で、データのパケット伝送により、テレビ電話・会議を行えるようにした製品である。このＨ３２３システムは、設置に関しては、企業内インフラとして、ＬＡＮが存在する場合が多く、該システムを既存のＬＡＮに接続するだけで良く、又、同じＬＡＮ内では、基本的に通信料金が、掛からないという特徴がある。又、会社間のテレビ電話・会議の場合でも、両者のＬＡＮが、高速回線で、接続されていれば、同じ様に電話料金の問題は、無く、Ｈ３２３システム同士で、交信が出来る。しかし、ファイア・ウォールの存在で、Ｈ３２３のパケットが、通らないと言う問題があったり、又、両者のＬＡＮ同士が接続されていないと言う場合では、テレビ電話・会議の際に、ＩＳＤＮ回線を使って、一時的に両者のＬＡＮの接続を行う必要がある。この場合、両企業内のＬＡＮに、Ｈ３２３−Ｈ３２０ゲートウエイなる装置を、それぞれ、設置し、一方の会社のＨ３２３テレビ電話・会議システムは、同社の該ゲートウエイを介して、他社の該ゲートウエイにＨ３２０コールを行う。他社の該ゲートウエイ装置は、該コールを受け、該Ｈ３２０コールをＨ３２３に変換し、対応するＨ３２３テレビ電話・会議システムに接続する。こうして、Ｈ３２３−Ｈ３２０ゲートウエイの使用により、接続の無いＬＡＮ間でのＨ３２３テレビ電話・会議が可能になる。
【０００６】
又、ＬＡＮ内のＨ３２３システムから、Ｈ３２０に基づく既存のＩＳＤＮベーステレビ電話・会議システムとの交信を行う場合にも、Ｈ３２３からＨ３２０への変換が必要であり、Ｈ３２３システムは、同じＬＡＮ内のＨ３２３−Ｈ３２０ゲートウエイを介して、外部のＨ３２０システムと交信する。
【０００７】
即ち、Ｈ３２３−Ｈ３２０ゲートウエイは、
１．ＬＡＮ間の接続の実現、
２．既存Ｈ３２０システムとの交信の実現
と言う重要な機能を有し、Ｈ３２３システムの普及に欠かせない製品である。
【０００８】
該Ｈ．３２３−Ｈ．３２０ゲートウエイの機能を示した概略図を図１に示す。同図に示すように、Ｈ．３２３−Ｈ．３２０ゲートウエイは、Ｈ．３２３端末機能とＨ．３２０端末機能との間の変換機能を有する。該変換機能は異なる端末標準間の送信フォーマット、呼設定信号と手順、通信制御と手順、オーディオ、ビデオおよびデータストリームの必要な変換機能を提供する。
【特許文献１】特開２００２−２９０９３７号公報
【発明の開示】
【発明が解決しようとする課題】
【０００９】
このようなＨ３２３−Ｈ３２０ゲートウエイ装置の実現方法は、第一に、Ｈ３２３のエンコーダー・デコーダー（コーデック）、Ｈ３２０のエンコーダー・デコーダー（コーデック）の機能を実現するＤＳＰを複数実装し、専用のハードウエアとするものである。図２に示すようにＬＡＮ側とＩＳＤＮ側との同時に動作させるために高速なＤＳＰを複数、実装するなどをして、テレビ電話・会議システム２つ分のコーデック機能を装置に組み込まなくてはならない。即ち、この場合の問題点は、２系統のコーデックを実装するため、コストが上がる事、また、この種のゲートウエイは、ＬＡＮ内で共有で用いられるので、必要台数が少なく、このため、数量効果が期待できず、一般的に高価なものになってしまう。
【００１０】
第２に、コストを下げるため、図３に示すように、パソコンの汎用拡張ボードとして、２系統のコーデックを実装し、ゲートウエイを実現する方法もある。しかるに、この方法では、筐体、ＭＰＵなどの分のコストダウンは、パソコンを利用するので、可能であるが、一方で、対象にした汎用パソコン後継機の拡張バス関係の仕様変更、又、頻繁に発生するパソコンＯＳのアップグレード等との整合性の問題、又、障害時、拡張ボードの交換が面倒であるなど、内部バス利用に伴う、さまざまな保守上の問題点を有する。
【００１１】
本発明は、上記問題を鑑みてなされたものであり、本発明の第１の目的は、上記第１の問題点を解決したローコストのＨ３２３−Ｈ３２０ゲートウエイを実現することである。
【００１２】
更に、本発明の第２の目的は、上記第２の問題点を解決した保守上の問題点の少ないＨ３２３−Ｈ３２０ゲートウエイを実現する事である。
【課題を解決するための手段】
【００１３】
本発明の第１の実施例では、
１．ＩＳＤＮ通信Ｉ／Ｆと、ＬＡＮＩ／Ｆと、ホスト・デバイスの両機能を有するＵＳＢＩ／Ｆと、一系統のコーデックを有する、共通テレビ会議端末装置を使用する。
２．Ｈ３２３端末として、該共通テレビ会議端末装置を使用する場合は、所定のＨ３２３ソフトウエアをロードし、ＩＳＤＮＩ／Ｆをディスエーブル、ＬＡＮＩ／Ｆをイネーブル、ＵＳＢＩ／Ｆをデバイス動作、コーデックをＨ３２３モードに設定する。
３．３２３−Ｈ３２０ゲートウエイ用のＨ３２０端末として、該共通テレビ会議端末装置を使用する場合は、所定のＨ３２０ソフトウエアをロードし、ＩＳＤＮＩ／Ｆをイネーブル、ＬＡＮＩ／Ｆをディスエーブル、ＵＳＢＩ／Ｆをデバイス動作、コーデックをＨ３２０モードに設定する。
４．３２３−Ｈ３２０ゲートウエイ用のＨ３２３端末として、ＬＡＮＩ／Ｆ付きのパソコンを使用し、所定のソフトウエアをロードする。該ソフトウエアにより、該パソコンは、Ｈ３２３のデコード、エンコードの機能をソフトウエアで実行する。
５．Ｈ３２０端末と４のパソコンをＵＳＢにて接続し、Ｈ３２３−Ｈ３２０ゲートウエイ機能を達成する。
【００１４】
本発明の第２の実施例では、
１．ＩＳＤＮ通信Ｉ／Ｆと、ＬＡＮＩ／Ｆと、ホスト・デバイスの両機能を有するＵＳＢＩ／Ｆと、一系統のコーデックを有する、共通テレビ会議端末装置を使用する。
２．Ｈ３２３端末として、該共通テレビ会議端末装置を使用する場合は、所定のＨ３２３ソフトウエアをロードし、ＩＳＤＮＩ／Ｆをディスエーブル、ＬＡＮＩ／Ｆをイネーブル、ＵＳＢＩ／Ｆをデバイス動作、コーデックをＨ３２３モードに設定する。
３．Ｈ３２３−Ｈ３２０ゲートウエイ用のＨ３２０端末として、該共通テレビ会議端末装置を使用する場合は、所定のＨ３２０ソフトウエアをロードし、ＩＳＤＮＩ／Ｆをイネーブル、ＬＡＮＩ／Ｆをディスエーブル、ＵＳＢＩ／Ｆをデバイス動作、コーデックをＨ３２０モードに設定する。
【００１５】
１から３までは、第１の実施例に同じで、以下が第２の実施例に固有である。
４．Ｈ３２３−Ｈ３２０ゲートウエイ用のＨ３２３端末として、該共通テレビ会議端末装置を使用する場合は、所定のソフトウエアをロードし、ＩＳＤＮＩ／Ｆをディスエーブル、ＬＡＮＩ／Ｆをイネーブル、ＵＳＢＩ／Ｆをホスト動作、コーデックをＨ３２３モードに設定する。
５．３のＨ３２０端末と４のＨ３２３端末とをＵＳＢにて接続し、Ｈ３２３−Ｈ３２０ゲートウエイ機能を達成する。
【発明の効果】
【００１６】
以上の説明から容易に理解できるように、本発明によれば、通常のテレビ電話・会議端末１台と既存のホストＰＣ端末とを組み合わせることで高機能のＬＡＮ−ＷＡＮ変換機能を持ったゲートウエイ装置を実現できる。
【発明を実施するための最良の形態】
【００１７】
以下本発明を実施するための最良の形態を、実施例により詳しく説明する。
【実施例】
【００１８】
以下、図面を参照して、本発明の実施の形態を詳細に説明する。
【００１９】
図４は、本発明の実施例における共通テレビ会議端末装置の構成図である。同図において、５０１はＩＳＤＮ回線Ｉ／Ｆ、５０２は、ＬＡＮＩ／Ｆ、５０３は、デコード処理部で、ソフトウエアに応じて、Ｈ３２０の場合は、多重デコード、Ｈ３２３の場合は、デパケット処理を行う。５０４は、エンコード処理部で、ソフトウエアに応じて、Ｈ３２０の場合は、多重エンコード、Ｈ３２３の場合は、パケット化処理を行う。５０５は、圧縮されたビデオ信号の伸張を行うビデオデコーダー、５０６は、圧縮された音声信号の伸張を行うオーディオデコーダー、５０７は、入力されたビデオ信号の圧縮を行うビデオエンコーダー、５０８は、入力された音声信号の圧縮を行うオーディオエンコーダー、５０９は、ＵＳＢホスト機能とＵＳＢデバイス機能の両機能を選択的に有するＵＳＢＩ／Ｆ回路、５１０は、制御用ＭＰＵで、各構成要素を制御し、所定の動作を行わしめる。５１１は、５０３から５０８の機能を包含するＤＳＰである。
【００２０】
同図の共通テレビ会議端末装置においては、例えば、５０３、５０５、５０６のデコード系ブロック、５０４、５０７、５０８のエンコード系ブロックは、コーデックと呼ばれるＤＳＰに実装される場合が多い。該ＤＳＰは、通常ＳＲＡＭをコード用のメモリー（ＤＳＰに内蔵又は、外付け。図示せず）として使用し、該ＳＲＡＭに起動時、ＭＰＵ５１０から、所定のコードがダウンロードされる。該ＭＰＵは、通常、プログラム実行用のＳＲＡＭ及び、プログラム保持用のフラッシュメモリーを有し（内蔵又は、外付け。図示せず）、起動時、該フラッシュメモリーから、所定のコードを、実行用のＳＲＡＭに移動し、プログラムを実行する。該プログラムは、所定の内部初期化を行ってから、ＤＳＰに、所定のＤＳＰプログラムコードを該フラッシュメモリーから、読み出しダウンロードを行ない、該ダウンロード終了後、ＤＳＰプログラムの起動をかける。該ＤＳＰは、Ｈ３２０、又は、Ｈ３２３の２種類のコードが、動作するように設計されており、どちらのコードをダウンロードするかで、どちらかの動作を行う。通常、Ｈ３２０及び、Ｈ３２３の両方のコードがフラッシュメモリーに保持される。
【００２１】
図５は、図４に示す共通テレビ会議端末装置を、Ｈ３２３端末として、動作せしめた場合の構成図である。同図５において、５０１から５１１は、図４に同じで、５２０は、本端末に接続されるビデオディスプレイ、５２１は、本端末に接続されるスピーカー、５２２は、本端末に接続されるビデオカメラ、５２３は、本端末に接続されるマイク、５２４は、本端末に接続されるパソコンで、データ会議時のＴ１２０端末として動作する。
【００２２】
同図５において、所定の設定スイッチなどにより、本端末をＨ３２３端末モードにセットすると、起動時、ＭＰＵ５１０は、ＩＳＤＮ  Ｉ／Ｆ５０１をディスエーブルし、ＵＳＢホスト・デバイスＩ／Ｆ回路５０９をデバイスモードに設定し、Ｈ３２３用のコードをＤＳＰ５１１にダウンロードする。該ダウンロードされたプログラムが起動されると該ＤＳＰ内の５０３は、Ｈ３２３のデパケット処理を、５０４は、Ｈ３２３のパケット化処理を行うように動作する。ビデオデコーダー５０５、オーディオデコーダー５０６、ビデオエンコーダー５０７、オーディオエンコーダー５０８は、所定の例えば、Ｈ２６１（ビデオの圧縮・伸張方式），Ｇ７１１（オーディオの圧縮・伸張方式）に基づく動作を行う。
【００２３】
図６は図４に示す共通テレビ会議端末装置を、Ｈ３２０端末として、動作せしめた場合の構成図である。同図６において、５０１から５１１は、図４に同じで、５２０は、本端末に接続されるビデオディスプレイ、５２１は、本端末に接続されるスピーカー、５２２は、本端末に接続されるビデオカメラ、５２３は、本端末に接続されるマイク、５２４は、本端末に接続されるパソコンで、データ会議時のＴ１２０端末として動作する。
【００２４】
同図６において、所定の設定スイッチなどにより、本端末をＨ３２０端末モードにセットすると、起動時、ＭＰＵ５１０は、ＬＡＮ  Ｉ／Ｆ５０２をディスエーブルし、ＵＳＢホスト・デバイスＩ／Ｆ回路５０９をデバイスモードに設定し、Ｈ３２０のコードをＤＳＰ５１１にダウンロードする。該ダウンロードされたプログラムが起動されると該ＤＳＰ内の５０３は、Ｈ３２０の多重デコード処理を、同５０４は、Ｈ３２０の多重エンコード処理を行うように動作する。ビデオデコーダー５０５、オーディオデコーダー５０６、ビデオエンコーダー５０７、オーディオエンコーダー５０８は、所定の例えば、Ｈ２６１（ビデオの圧縮・伸張方式），Ｇ７１１（オーディオの圧縮・伸張方式）に基づく動作を行う。
【００２５】
図５及び図６において、５２０のビデオディスプレイは、ビデオデコーダー５０５より出力される相手方のビデオ信号を表示し、スピーカー５２１は、オーディオデコーダー５０６から出力される相手方の音声を出力する。ビデオカメラ５２２は、例えば、デジタル方式のビデオカメラで、所定のデジタル映像信号をビデオエンコーダー５０７に入力する。マイク５２３は、例えば、アナログ方式のマイクで、話者の音声を検知し、オーディオエンコーダー５０８に送る。該オーディオエンコーダーは、デジタル処理のため、アナログオーディオ信号をデジタル化するＡ／Ｄ変換機（図示せず）が、該オーディオエンコーダー５０８の前に必要である。５２４は、パソコンで、ＵＳＢＩ／Ｆにより、Ｈ３２３又は、Ｈ３２０端末に接続される。パソコン５２４は、ＵＳＢのホストＩ／Ｆを有し、Ｈ３２３及びＨ３２０端末側は、ＵＳＢのデバイス側Ｉ／Ｆを有する。こうして、パソコン上で、所定のソフトウエアを起動する事で、パソコン５２４は、データ会議の際のデータ端末として動作する。
【００２６】
図７に、本発明の第１実施例になるＨ３２３−Ｈ３２０ゲートウエイの構成図を示す。同図で、５５０は、図６のＨ３２０端末と同じハードウエアを使うが、ソフトウエアは、異なる。即ち、Ｈ３２３−Ｈ３２０ゲートウエイ用のＨ３２０端末モードを実現するため、所定の設定スイッチを、当該モードに設定する。再起動時、ＭＰＵ５１０は、ＬＡＮＩ／Ｆ５０２をディスエーブルし、ＵＳＢホスト・デバイスＩ／Ｆ回路５０９をデバイスモードに設定し、Ｈ３２３−Ｈ３２０ゲートウエイ用Ｈ３２０のコードをＤＳＰ５１１にダウンロードする。該ダウンロードされたプログラムが起動されると該ＤＳＰ内の５０３は、ＩＳＤＮＩ／Ｆ５０１からの信号を多重デコードし、圧縮ビデオ信号及び圧縮オーディオ信号に分離する。該分離された信号は、ＵＳＢデバイスＩ／Ｆ５０９に送られる。一方、ＵＳＢデバイスＩ／Ｆ５０９により、パソコン５５１から受信したＬＡＮ回線Ｉ／Ｆ５３２からの圧縮ビデオ信号及び圧縮オーディオ信号は、それぞれ、ビデオデコーダー５０５、オーディオデコーダー５０６に送られ、伸張される。該伸張された信号は、それぞれ、ビデオエンコーダー５０７、オーディオエンコーダー５０８により、ＩＳＤＮ回線上の相手側の能力に応じて、圧縮される。該圧縮信号は、多重エンコード回路５０４により、多重され、ＩＳＤＮＩ／Ｆ５０１に送出される。
【００２７】
一方、パソコン５５１は、Ｈ３２３−Ｈ３２０ゲートウエイ用のＨ３２３動作を行う。即ち、ＬＡＮＩ／Ｆ５３２で、受信した相手方の信号をデパケット処理（５３３）し、時間情報の再現されたビデオ圧縮信号及びオーディオ圧縮信号を生成する。該圧縮信号は、ＵＳＢホストＩ／Ｆ５３９に送られ、ＵＳＢ経由で、端末５５０に送られる。一方、ＵＳＢホストＩ／Ｆ５３９にて受信した端末５５０からの圧縮ビデオ信号及び圧縮オーディオ信号は、それぞれ、ビデオデコーダー５３５及びオーディオデコーダー５３６に送られ、伸張される。
【００２８】
該伸張された信号は、ビデオエンコーダー５３７、オーディオエンコーダー５３８により、ＬＡＮ回線上の相手側の能力に応じて、再度圧縮される。該圧縮されたビデオ信号及びオーディオ信号は、パケット化処理ブロック５３４に送られ、パケット化されＬＡＮＩ／Ｆ５３２に送られる。
【００２９】
端末５５０とパソコン５５１の総合的なＨ３２３−Ｈ３２０ゲートウエイとしての動作は、以下の様である。図９に、全体の接続図を示す。同図で、６００は、Ｈ３２３−Ｈ３２０ゲートウエイで、ゲートウエイ用Ｈ３２０端末５５０及びパソコン５５１により構成される。６０１、６０２、６０３、６０４、６０５は、Ｈ３２３端末で、同一のＬＡＮ内で相互に接続されている。６１０、６１１、６１２、６１３、６１４は、Ｈ３２３端末に接続されたデータ会議用のＴ１２０端末即ち、パソコンである。Ｈ３２３では、１００ＢａｓｅＴの高速ＬＡＮを用いると、１Ｍｂｐｓくらいの高速のＬＡＮ上テレビ会議を実現でき、ビデオ圧縮方式には、画質・フレームレートの良いＨ２６３が、音声の圧縮方式には、ＰＣＭに近いＧ７２２などが好んで使用される。該ＬＡＮ上のＨ３２３端末と、外部の例えば、Ｈ３２０端末と交信する場合、Ｈ３２３−Ｈ３２０ゲートウエイ６００が使用される。通常外部のＨ３２０端末は、ビデオ圧縮には、Ｈ２６１、音声圧縮には、Ｇ７２８が用いられる場合が多い。又、Ｈ３２０端末の通常の使用帯域は、２Ｂの１２８Ｋｂｐｓ（音声１６Ｋｂｐｓ，ビデオ１１２Ｋｂｐｓ）である。該外部のＨ３２０端末とＬＡＮ上のＨ３２３端末が交信する場合、ゲートウエイ６００が、両者を２ＢクラスのＨ２６１，Ｇ７２８モードに設定する事が可能である。しかし、こうすると、第２のＨ３２３端末が、会議に参加した場合、同じＨ３２３端末間でも、２ＢクラスのＨ２６１，Ｇ７２８モードとなり、画質音質が低下する。これを防ぐため、ＬＡＮ上のＨ３２３端末は、１ＭｂｐｓクラスのＨ２６３とＧ７２２（６４Ｋｂｐｓ）を送信し、ゲートウエイが、Ｈ３２０端末に送信する際に、２ＢクラスのＨ２６１，Ｇ７２８モードに変換すれば良い。こうすると、Ｈ３２３端末間では、画質音質が保たれる。
【００３０】
この場合のＨ３２３−Ｈ３２０ゲートウエイの動作は、以下のようである。ＬＡＮ回線から、受信した１ＭｂｐｓクラスのＨ２６３とＧ７２２（６４Ｋｂｐｓ）信号は、５３３にてデパケット化処理がなされ、Ｈ２６３，Ｇ７２２の圧縮信号に時系列で並べられる。該圧縮信号は、ＵＳＢＩ／Ｆ５３９、５０９経由でビデオデコーダー５０５、オーディオデコーダー５０６に送られる。該ビデオデコーダー５０５とビデオエンコーダー５０７は、１ＭｂｐｓクラスのＨ２６３を、１１２ＫｂｐｓのＨ２６１に変換する。
【００３１】
オーディオデコーダー５０６とオーディオエンコーダー５０８は、Ｇ７２２（６４Ｋｂｐｓ）をＧ７２８（１６Ｋｂｐｓ）に変換する。こうして得られたＨ２６１、Ｇ７２８信号は、多重エンコーダー５０４で、多重され、ＩＳＤＮＩ／Ｆ５０１経由で、外部のＨ３２０端末の送信される。
【００３２】
一方、外部のＨ３２０端末から受信した２ＢクラスのＨ２６１、Ｇ７２８信号は、多重デコード回路５０３で、多重分離され、それぞれ、ＵＳＢ  Ｉ／Ｆ５０９、５３９経由で、ビデオデコーダー５３５、オーディオデコーダー５３６に送られる。該ビデオデコーダー５３５とビデオエンコーダー５３７は、１１２ＫｂｐｓのＨ２６１を１１２ＫｂｐｓクラスのＨ２６３に変換する。
【００３３】
オーディオデコーダー５３６とオーディオエンコーダー５３８は、Ｇ７２８（１６Ｋｂｐｓ）をＧ７２２（６４Ｋｂｐｓ）に変換する。こうして得られたＨ２６３、Ｇ７２２信号は、パケット化処理ブロック５３４にてパケット化され、ＬＡＮＩ／Ｆ５３２経由で、ＬＡＮ上のＨ３２３端末に送信される。
【００３４】
こうして、Ｈ３２３端末と共通のハードウエアを利用したＨ３２０部分と、パソコンとで、ローコストのＨ３２３−Ｈ３２０ゲートウエイが実現される。又、該Ｈ３２３−Ｈ３２０ゲートウエイは、ＵＳＢＩ／Ｆを使用しているので、保守上の問題点が少ない。
【００３５】
次に、本発明の第２の実施例を図８に示す。
第２の実施例は、第１の実施例のパソコンの代わりに、共通テレビ会議端末装置を使用するものである。即ち、共通テレビ会議端末装置のハードウエアを利用し、ソフトウエアを変更する。同図で、５５０は、第１の実施例に同じ為、説明を省略する。
【００３６】
同図で、７０１は、以下の様にして図４の共通テレビ会議端末装置から設定を行う。
【００３７】
即ち、Ｈ３２３−Ｈ３２０ゲートウエイ用のＨ３２３端末モードを実現するため、所定の設定スイッチを、当該モードに設定する。再起動時、ＭＰＵ７０３は、ＩＳＤＮ  Ｉ／Ｆ７０２をディスエーブルし、ＵＳＢホスト・デバイスＩ／Ｆ回路５３９をホストモードに設定し、Ｈ３２３−Ｈ３２０ゲートウエイ用Ｈ３２３のコードをＤＳＰ７０４にダウンロードする。該ダウンロードされたプログラムが起動されると該ＤＳＰ内の５３３は、ＬＡＮ  Ｉ／Ｆ５３２で、受信した相手方の信号をデパケット処理（５３３）し、時間情報の再現されたビデオ圧縮信号及びオーディオ圧縮信号を生成する。該圧縮信号は、ＵＳＢホストＩ／Ｆ５３９に送られ、ＵＳＢ経由で、端末５５０に送られる。一方、ＵＳＢホストＩ／Ｆ５３９にて受信した端末５５０からの圧縮ビデオ信号及び圧縮オーディオ信号は、それぞれ、ビデオデコーダー５３５及びオーディオデコーダー５３６に送られ、伸張される。
【００３８】
該伸張された信号は、ビデオエンコーダー５３７、オーディオエンコーダー５３８により、ＬＡＮ回線上の相手側の能力に応じて、再度圧縮される。該圧縮されたビデオ信号及びオーディオ信号は、パケット化処理ブロック５３４に送られ、パケット化されＬＡＮＩ／Ｆ５３２に送られる。
【００３９】
端末５５０と端末７０１の総合的なＨ３２３−Ｈ３２０ゲートウエイとしての動作は、以下の様である。図１０に、全体の接続図を示す。同図で、８００は、Ｈ３２３−Ｈ３２０ゲートウエイで、ゲートウエイ用Ｈ３２０端末５５０及びゲートウエイ用Ｈ３２３端末７０１により構成される。
【００４０】
６０１、６０２、６０３、６０４、６０５は、Ｈ３２３端末で、同一のＬＡＮ内で相互に接続されている。６１０、６１１、６１２、６１３、６１４は、Ｈ３２３端末に接続されたデータ会議用のＴ１２０端末即ち、パソコンである。Ｈ３２３では、１００ＢａｓｅＴの高速ＬＡＮを用いると、１Ｍｂｐｓくらいの高速のＬＡＮ上テレビ会議を実現でき、ビデオ圧縮方式には、画質・フレームレートの良いＨ２６３が、音声の圧縮方式には、ＰＣＭに近いＧ７２２などが好んで使用される。該ＬＡＮ上のＨ３２３端末と、外部の例えば、Ｈ３２０端末と交信する場合、Ｈ３２３−Ｈ３２０ゲートウエイ８００が使用される。通常外部のＨ３２０端末は、ビデオ圧縮には、Ｈ２６１、音声圧縮には、Ｇ７２８が用いられる場合が多い。又、Ｈ３２０端末の通常の使用帯域は、２Ｂの１２８Ｋｂｐｓ（音声１６Ｋｂｐｓ，ビデオ１１２Ｋｂｐｓ）である。該外部のＨ３２０端末とＬＡＮ上のＨ３２３端末が交信する場合、ゲートウエイ８００が、両者を２ＢクラスのＨ２６１，Ｇ７２８モードに設定する事が可能である。しかし、こうすると、第２のＨ３２３端末が、会議に参加した場合、同じＨ３２３端末間でも、２ＢクラスのＨ２６１，Ｇ７２８モードとなり、画質音質が低下する。これを防ぐため、ＬＡＮ上のＨ３２３端末は、１ＭｂｐｓクラスのＨ２６３とＧ７２２（６４Ｋｂｐｓ）を送信し、ゲートウエイが、Ｈ３２０端末に送信する際に、２ＢクラスのＨ２６１，Ｇ７２８モードに変換すれば良い。こうすると、Ｈ３２３端末間では、画質音質が保たれる。
【００４１】
この場合のＨ３２３−Ｈ３２０ゲートウエイの動作は、以下のようである。ＬＡＮ回線から、受信した１ＭｂｐｓクラスのＨ２６３とＧ７２２（６４Ｋｂｐｓ）信号は、図８の５３３にてデパケット化処理がなされ、Ｈ２６３，Ｇ７２２の圧縮信号に時系列で並べられる。該圧縮信号は、ＵＳＢＩ／Ｆ５３９、５０９経由でビデオデコーダー５０５、オーディオデコーダー５０６に送られる。該ビデオデコーダー５０５とビデオエンコーダー５０７は、１ＭｂｐｓクラスのＨ２６３を、１１２ＫｂｐｓのＨ２６１に変換する。
【００４２】
オーディオデコーダー５０６とオーディオエンコーダー５０８は、Ｇ７２２（６４Ｋｂｐｓ）をＧ７２８（１６Ｋｂｐｓ）に変換する。こうして得られたＨ２６１、Ｇ７２８信号は、多重エンコーダー５０４で、多重され、ＩＳＤＮＩ／Ｆ５０１経由で、外部のＨ３２０端末の送信される。
【００４３】
一方、外部のＨ３２０端末から受信した２ＢクラスのＨ２６１、Ｇ７２８信号は、多重デコード回路５０３で、多重分離され、それぞれ、ＵＳＢ  Ｉ／Ｆ５０９、５３９経由で、ビデオデコーダー５３５、オーディオデコーダー５３６に送られる。該ビデオデコーダー５３５とビデオエンコーダー５３７は、１１２ＫｂｐｓのＨ２６１を１１２ＫｂｐｓクラスのＨ２６３に変換する。
【００４４】
オーディオデコーダー５３６とオーディオエンコーダー５３８は、Ｇ７２８（１６Ｋｂｐｓ）をＧ７２２（６４Ｋｂｐｓ）に変換する。こうして得られたＨ２６３、Ｇ７２２信号は、パケット化処理ブロック５３４にてパケット化され、ＬＡＮＩ／Ｆ５３２経由で、ＬＡＮ上のＨ３２３端末に送信される。こうして、共通のハードウエアを利用したＨ３２０部分とＨ３２３部分とで、ローコストのＨ３２３−Ｈ３２０ゲートウエイが実現される。又、該Ｈ３２３−Ｈ３２０ゲートウエイは、ＵＳＢＩ／Ｆを使用しているので、保守上の問題点が少ない。
【図面の簡単な説明】
【００４５】
【図１】Ｈ．３２３−Ｈ．３２０ゲートウエイの概略構成を示した図である。
【図２】従来のＨ．３２３−Ｈ．３２０ゲートウエイ装置本体のブロック構成図である。
【図３】従来のＨ．３２３−Ｈ．３２０ゲートウエイ装置本体のブロック構成図である。
【図４】本発明の実施例を示す共通テレビ会議端末装置の構成図である。
【図５】本発明の実施例を示すＨ．３２３テレビ会議端末装置の構成図である。
【図６】本発明の実施例を示すＨ．３２０テレビ会議端末装置の構成図である。
【図７】本発明の一実施例１を示すゲートウエイ装置本体のブロック構成図である。
【図８】本発明の一実施例２を示すゲートウエイ装置本体のブロック構成図である。
【図９】Ｈ．３２３−Ｈ．３２０ゲートウエイの接続構成を示した図である。
【図１０】Ｈ．３２３−Ｈ．３２０ゲートウエイの接続構成を示した図である。
【符号の説明】
【００４６】
５１１    コーデック
５４１    ソフトコーデック
【図１】
2005252669.tif 000003
【図２】
2005252669.tif 000004
【図３】
2005252669.tif 000005
【図４】
2005252669.tif 000006
【図５】
2005252669.tif 000007
【図６】
2005252669.tif 000008
【図７】
2005252669.tif 000009
【図８】
2005252669.tif 000010
【図９】
2005252669.tif 000011
【図１０】
2005252669.tif 000012